(57)【要約】【課題】コストを抑えて、環境光による影響を抑制してコントラストを改善することのできるスクリーンを提供する。【解決手段】本発明のスクリーンは、基板上に長軸を略同一方向に配向させた複数の針状粒子を有する偏光層を備え、入射光に垂直な平面上に互いに直交する２つの偏光方向のうち、一方の偏光方向の光を反射し、他方の偏光方向の光を吸収する偏光選択性を有することを特徴とする。【選択図】図１
2013015615.tif 000002
【特許請求の範囲】
【請求項１】
基板と、
前記基板上に長軸方向が略一方向に配向するように設けられた複数の針状粒子を有する偏光層と、を備え、
第１の偏光状態の第１偏光光に対する光反射率が、該第１の偏光状態とは異なる第２の偏光状態の第２偏光光に対する光反射率よりも高い
ことを特徴とするスクリーン。
【請求項２】
前記複数の針状粒子の各長軸が前記基板の表面に沿うように配向している
ことを特徴とする請求項１に記載のスクリーン。
【請求項３】
前記偏光層が、前記複数の針状粒子の短軸方向と偏光方向が一致する前記第１偏光光を透過するとともに、前記複数の針状粒子の長軸方向と偏光方向が一致する前記第２偏光光を吸収する特性を有しており、
前記偏光層の前記基板側に光反射面が設けられている
ことを特徴とする請求項１または２に記載のスクリーン。
【請求項４】
前記偏光層が、前記複数の針状粒子の短軸方向と偏光方向が一致する前記第２偏光光を透過するとともに、前記複数の針状粒子の長軸方向と偏光方向が一致する前記第１偏光光を反射する特性を有しており、
前記偏光層の前記基板側に光吸収部材が設けられている
ことを特徴とする請求項１または２に記載のスクリーン。
【請求項５】
前記針状粒子が、金属ナノロッドである
ことを特徴とする請求項１から４のいずれか一項に記載のスクリーン。
【発明の詳細な説明】
【技術分野】
【０００１】
本発明は、スクリーンに関するものである。
【背景技術】
【０００２】
特許文献１には、プロジェクターに組み合わされた反射型の投影スクリーンの構成が開示されている。ここには、反射性偏光要素を有する投影スクリーンが偏光された光を生成するプロジェクターと共に用いられたとき、プロジェクターからの光の偏光状態が反射性偏光要素により反射される偏光状態であるときには、光の殆どがスクリーンにより反射されることになる。
【先行技術文献】
【特許文献】
【０００３】
【特許文献１】特表２００２−５４０４４５号公報
【発明の概要】
【発明が解決しようとする課題】
【０００４】
上記した特許文献１には反射性偏光要素の具体的な構成例として、多層反射性偏光材、連続／分散相反射性偏光材、コレステリック反射性偏光材（４分の１波長板と組み合わせられる）、ワイヤグリッド偏光材が挙げられている。これら偏光材の構造および製造工程は複雑であり、大判なスクリーンになるほどコストがかかってしまう。
【０００５】
本発明は、上記従来技術の問題点に鑑み成されたものであって、構造および製造工程を簡単にしてコストを抑え、環境光による影響を小さくしてコントラストを改善することのできるスクリーンを提供することを目的の一つとしている。
【課題を解決するための手段】
【０００６】
本発明のスクリーンは、基板と、前記基板上に長軸方向が略一方向に配向するように設けられた複数の針状粒子を有する偏光層と、を備え、第１の偏光状態の第１偏光光に対する光反射率が、該第１の偏光状態とは異なる第２の偏光状態の第２偏光光に対する光反射率よりも高いことを特徴とする。
【０００７】
これによれば、第１の偏光状態の光に対する光反射率が、該第１の偏光状態とは異なる第２の偏光状態の光に対する光反射率よりも高いため、プロジェクターに組み合わせて用いた場合に、スクリーンに入射する環境光の反射率を大幅に低下させることが可能となり、画像コントラストを改善することができる。また、本発明のスクリーンは構成が簡単で製造も容易になるので、コストを抑えることができる。
【０００８】
また、前記複数の針状粒子の各長軸が前記基板の表面に沿うように配向している構成としてもよい。
これによれば、スクリーンに入射する入射光のうち、偏光方向が線状粒子の短軸方向と一致する直線偏光を反射し、偏光方向が線状粒子の長軸方向と一致する直線偏光を吸収することが可能となる。あるいは、スクリーンに入射する入射光のうち、偏光方向が線状粒子の短軸方向と一致する直線偏光を吸収し、偏光方向が線状粒子の長軸方向と一致する直線偏光を反射することが可能となる。
【０００９】
また、前記偏光層が、前記複数の針状粒子の短軸方向と偏光方向が一致する前記第１偏光光を透過するとともに、前記複数の針状粒子の長軸方向と偏光方向が一致する前記第２偏光光を吸収する特性を有しており、前記偏光層の前記基板側に光反射面が設けられている構成としてもよい。
これによれば、偏光方向が針状粒子の長軸方向と一致する偏光は針状粒子によって吸収される。一方、偏光方向が針状粒子の短軸方向と一致する偏光は、反射部材によって観察者に向かって反射される。
【００１０】
また、前記偏光層が、前記複数の針状粒子の短軸方向と偏光方向が一致する前記第２偏光光を透過するとともに、前記複数の針状粒子の長軸方向と偏光方向が一致する前記第１偏光光を反射する特性を有しており、前記偏光層の前記基板側に光吸収部材が設けられている構成としてもよい。
これによれば、偏光方向が針状粒子の短軸方向と一致する偏光は光吸収部材によって吸収される。一方、偏光方向が針状粒子の長軸方向と一致する偏光は、針状粒子によって観察者に向かって反射される。
【００１１】
また、前記針状粒子が、金属ナノロッドである構成としてもよい。
これによれば、針状粒子として金属ナノロッドを用いることにより、所望の偏光選択特性を有する偏光層を容易に製造することが可能となり、製造コストを削減することができる。
【図面の簡単な説明】
【００１２】
【図１】本発明の第１実施形態である反射型スクリーンの概略構成を示す断面図。
【図２】偏光層において光を透過および吸収する際の作用を示す説明図。
【図３】スクリーンに光が入射した際の作用を示す説明図。
【図４】（ａ）〜（ｄ）は、第１実施形態のスクリーンの製造方法を示す工程図。
【図５】第２実施形態の反射型スクリーンの構成を示す断面図。
【図６】投射型プロジェクターシステムに用いた場合の概略構成を示す図。
【図７】（ａ）第１実施形態に係る反射型スクリーンを用いた場合の作用を示す図、（ｂ）第２実施形態に係る反射型スクリーンを用いた場合の作用を示す図。
【発明を実施するための形態】
【００１３】
以下、本発明の実施形態につき、図面を参照して説明する。なお、以下の説明に用いる各図面では、各部材を認識可能な大きさとするため、各部材の縮尺を適宜変更している。
【００１４】
［第１実施形態］
図１は、本発明の第１実施形態である反射型スクリーンの概略構成を示す断面図である。
本実施形態の反射型スクリーン（以下、単にスクリーンとする）１は、フレキシブル基板（基板）２上に、反射膜（反射部材）３および偏光層４がこの順に積層されて構成され、所定の波長の光を反射あるいは吸収する偏光選択特性を有するスクリーンである。
【００１５】
フレキシブル基板２の具体的な材質は特に限定されるものではなく、公知のいかなる樹脂を用いても良い。なお、特にフレキシブル基板に限定されるものではなく、ガラス基板、石英基板、サファイア基板等を用いても良い。さらに、透光性のもの以外にも、不透光性の材料を用いてもよい。
【００１６】
偏光層４は、透明層６中に、複数のナノロッド（針状粒子）５が長軸を略同一の方向に揃えて分散されている。ここでは、ナノロッド５の長軸がフレキシブル基板２の表面に沿うように配向している。
ナノロッド５は、所定のアスペクト比（長軸長さ／短軸長さ）を有するナノサイズの棒状金属微粒子であって、凡そ、長軸の平均長さが数十ｎｍから数百ｎｍ、短軸の平均長さが数ｎｍから数十ｎｍの寸法を有する。ナノロッド５は、振動方向がナノロッド５の短軸方向と一致した直線偏光成分に対する吸収特性と、振動方向がナノロッド５の長軸方向と一致した直線偏光成分に対する吸収特性とが異なる。
本実施形態のナノロッド５としては、異方性金属ナノ粒子である金属ナノロッド、カーボンナノチューブ等が挙げられる。金属ナノロッドの金属種としては、Ａｕ，Ａｇ等が挙げられ、微粒子であるため光反射性の低い金属が選択され、含有量は適宜設定される。
そして、長軸を略同一方向に配向させた複数のナノロッド５により、所望の偏光選択特性を有する偏光層４が得られる。「偏光選択性」とは、入射光に垂直な平面上において互いに直交する２つの偏光方向を有する入射光に対し、特定の偏波面を有する直線偏光を選択的に吸収し、他の偏波面を有する直線偏光を透過させる性質を意味する。
【００１７】
透明層６の材料としては、例えば、ポリエチレン、ポリプロピレンなどの樹脂や、ポリシラザン、ポリシロキサン、ポリシラン等を主成分とした無機質の材料を用いることができる。
【００１８】
図２は、偏光層において光を透過および吸収する際の作用を示す説明図である。
このようなスクリーンは、図２に示すように、複数のナノロッド５が略同一方向に配向されていることにより、スクリーン１に入射した光の偏光状態に応じて偏光選択が行なわれる。具体的には、本実施形態のナノロッド５は吸収型ナノロッドであり、ナノロッド５の長軸方向と平行な方向（Ｘ方向）に偏光軸を有する直線偏光Ｘを吸収し、ナノロッド５の短軸方向（Ｙ方向）に偏光軸を有する直線偏光Ｙを透過させる。
【００１９】
本実施例において、ナノロッド５の短軸方向と平行な方向に光が偏光している状態が第１の偏光状態であり、ナノロッド５の長軸方向と平行な方向に光が偏光している状態が第２の偏光状態である。また、第１の偏光状態の直線偏光Ｙが第１偏光光であり、第２の偏光状態の直線偏光Ｘが第２偏光光である。
【００２０】
図１に示した反射膜３は、Ａｌ膜からなり、偏光層４を透過した第１偏光光を入射光軸ＡＸに平行な方向に反射する。また、反射膜３として、Ａｌ膜の他に、Ａｇ膜、ＡｌとＡｇとの積層膜等からなるものを用いてもよい。この反射膜３は、光反射面３Ａとなる表面の平坦性を確保することができる厚さで形成される。
【００２１】
図３は、スクリーンに光が入射した際の作用を示す説明図である。
上述したように、図３において、スクリーン１に入射した光のうち、偏光層４を透過した直線偏光Ｙは偏光層４の裏面側（フレキシブル基板２側）に配置された反射膜３において反射される。一方、偏光層４内のナノロッド５において吸収された直線偏光Ｘは偏光層４において吸収されるため、反射膜３に入射することもない。
したがって、第１の偏光状態の直線偏光（第１偏光光）Ｙに対する光反射率が、該第１の偏光状態とは異なる第２の偏光状態の直線偏光（第２偏光光）Ｘに対する光反射率よりも高いスクリーン１となっている。
【００２２】
［製造方法］
図４（ａ）〜（ｄ）は、第１実施形態のスクリーンの製造方法を示す工程図である。
まず、図４（ａ）に示すように、フレキシブル基板２の表面に金属材料（Ａｌ）を蒸着して加熱硬化処理を行い、反射膜３を形成する。
【００２３】
次に、図４（ｂ）に示すように、反射膜３の表面に、有機溶媒溶液６Ａ中にＡｇ，Ａｕ等からなる複数のナノロッド５を含む偏光層形成材料４Ａを塗布する（塗布工程）。偏光層形成材料４Ａは、シリコン酸化物の原料であるポリシラザンを任意の有機溶媒に溶解した有機溶媒溶液である。偏光層形成材料４Ａを塗布する手段としては、公知の印刷技術等を用いることができる。
偏光層形成材料４Ａを塗布した段階では、複数のナノロッド５の各長軸はランダムな方向を向いている。
【００２４】
図４（ｃ）に示すように、偏光層形成材料４Ａに対してフレキシブル基板２の主面に略平行な方向の電界を印加する（電界印加工程）。このとき、第１電極１１と第２電極１２とが交互に配置されたステージ（図示略）上にフレキシブル基板２を載置する。
第１電極１１と第２電極１２とは相互間に所定の間隔をおいて交互に配置されている。第１電極１１には高周波電源１６を接続し、第２電極１２は接地する。この状態で、第１電極１１と第２電極１２との間に高周波電圧を印加すると、偏光層形成材料４Ａの内部に、フレキシブル基板２の主面に略平行、かつ第１電極１１と第２電極１２とが対向する方向に電界が発生する。ナノロッド５は全て針状の形状を呈しており、ナノロッド５には分極が生じている。そのため、第１電極１１および第２電極１２に所定の電圧が印加されると、これら第１電極１１と第２電極１２との間に形成される電気力線（電界方向）に長軸が倣うようにしてナノロッド５が配向する。これにより、有機溶媒溶液６Ａ中の複数のナノロッド５の長軸方向が略一方向に配向する。各ナノロッド５の長軸は基板面に略平行である。
【００２５】
図４（ｄ）に示すように、ナノロッド５の長軸が同一方向に揃った状態で、例えばオーブン９等を用いて所定の加熱温度および加熱時間で有機溶媒溶液６Ａを焼成する（焼成工程）。これにより、有機溶媒が除去されるとともに、ポリシラザンが大気中の水分や酸素と反応して固化し、シリコン酸化物に変化する。このとき、ナノロッド５が略同一方向に配向した状態で固定される。このようにして、図１に示したような本実施形態の偏光層４を形成する。
【００２６】
本実施形態のスクリーン１は、長軸を略同一方向に配向させた複数のナノロッド５を分散させてなる偏光層４により、スクリーン１に入射する入射光のうち、ナノロッド５の短軸方向に沿う直線偏光Ｙを入射側へ反射し、ナノロッド５の長軸方向に沿う直線偏光Ｘを吸収することができる。
これにより、入射光のうち、第１偏光光（直線偏光Ｙ）に対する光反射率が第２偏光光（直線偏光Ｘ）に対する光反射率よりも高いスクリーン１となる。そのため、スクリーン１を後述するプロジェクターに組み合わせて用いた場合、スクリーン１に入射する環境光によって起こりうるコントラスト比の低下を低減することができる。
【００２７】
また、本実施形態では、公知の印刷技術等を用いて反射膜３の表面に偏光層形成材料４Ａを塗布することができるため、大判のスクリーンを製作するのは容易である。さらに、フレキシブル基板２の裏面側に交互に配置された複数の第１電極１１と複数の第２電極１２とに所定の電圧を印加することにより、透明層６中の複数のナノロッド５を略同一方向に配向させることが可能である。スクリーンのサイズに応じてこれら第１電極１１および第２電極１２の数を増加させればいいので、大判のスクリーンを製作するのも容易である。また、スクリーン構成も簡単であるため製造コストを大幅に削減することが可能である。
【００２８】
［第２実施形態］
図５は、第２実施形態の反射型スクリーンの構成を示す断面図である。
以下に示す本実施形態の反射型スクリーンの基本構成は、上記第１実施形態と略同様であるが、偏光層の構成において異なる。よって、以下の説明では、偏光層について詳しく説明し、共通な箇所の説明は省略する。また、説明に用いる図面において、上記実施形態と共通の構成要素には同一の符号を付すものとする。
【００２９】
図５に示すように、本実施形態の反射型スクリーン（以下、単にスクリーンとする）２０は、透明層６中に、長軸が略同一方向に配向された反射型のナノロッド１５を複数有する偏光層１４と、その裏面（フレキシブル基板２）側に配置された光吸収層（光吸収部材）８とを備えている。
【００３０】
反射型スクリーン２０では、フレキシブル基板２と偏光層１４との間に光吸収層８が設けられている。光吸収層８はその表面に形成された偏光層１４を透過した光成分を吸収する層である。光吸収層８の材料には塩化ビニル系の樹脂材料が好適に用いられる。光吸収層８には、必ずしも黒色の材料を用いなくてもよい。例えば、透明な樹脂層の表面を黒色に塗ることで光吸収性を付与しても良い。また、所定の樹脂層や板状体にＡＲ（Ａｎｔｉ  Ｒｅｆｌｅｃｔｉｏｎ）コート等による反射防止加工を行うことで、光吸収層８を形成してもよい。
【００３１】
偏光層１４はこの光吸収層８の表面に形成されており、偏光層１４を透過した光成分のみが光吸収層８に入射することになる。ここで、本実施形態の偏光層１４では、透明層６中にＡｌからなる複数のナノロッド（針状粒子）１５が分散されている。ナノロッド１５の材料としては、Ａｌの他にも、十分な光反射特性が得られる金属であればよい。
【００３２】
このように、偏光層１４とフレキシブル基板２との間に光吸収層８を設けることにより、スクリーン２０に入射した入射光のうち、偏光層１４を透過した直線偏光Ｙ（ナノロッド５の短軸方向に沿う光）が光吸収層８において吸収されることになる。また、ナノロッド１５の長軸方向に沿う直線偏光Ｘは、ナノロッド１５によって反射されて入射側へと反射される。
【００３３】
なお、第２実施形態においては、ナノロッド１５の長軸方向と平行な方向に光が偏光している状態が第１の偏光状態であり、ナノロッド１５の短軸方向と平行な方向に光が偏光している状態が第２の偏光状態である。また、第１の偏光状態の直線偏光Ｘが第１偏光光であり、第２の偏光状態の直線偏光Ｙが第２偏光光である。
【００３４】
よって、Ａｌからなるナノロッド１５を用いてなる偏光層１４であっても、上記第１実施形態と同様の効果を得ることが可能である。つまり、入射光のうち、第１偏光光（直線偏光Ｘ）に対する光反射率が第２偏光光（直線偏光Ｙ）に対する光反射率よりも高いスクリーン２０となり、後述するプロジェクターに組み合わせて用いた場合、スクリーン２０に入射する環境光によって起こりうるコントラスト比の低下を低減することができる。
【００３５】
以上述べた各実施形態のように、ナノロッドの材料を変えるだけで、該ナノロッドにおいて吸収あるいは反射させる偏光成分を異ならせることができる。よって、吸収性および反射性を有するいずれの特性を有するナノロッドを用いる場合でも、同一の製造装置や製造方法を用いて製作することが可能である。
【００３６】
［投射型プロジェクターシステム］
図６は、本発明に係る反射型スクリーンを投射型プロジェクターシステムに用いた場合の概略構成を示す図である。図７は、投射型プロジェクターシステムに用いられた場合の各実施形態のスクリーンの作用を示す図であって、（ａ）第１実施形態のスクリーンの作用、（ｂ）第２実施形態のスクリーンの作用を示す。
【００３７】
図６に示すように、投射型プロジェクター（投射型表示装置）２００は、光源２０１と、ダイクロイックミラー２０２、２０３と、液晶装置１００からなる赤色光用光変調手段２０４、緑色光用光変調手段２０５及び青色光用光変調手段２０６と、導光手段２０７と、反射ミラー２１０〜２１２と、クロスダイクロイックプリズム２１３と、投射レンズ２１４と、を備えて構成されている。投射型プロジェクター２００から出射した画像光Ｚは、スクリーン２１５上に投影されるようになっている。図７に示すように、投射型プロジェクター２００から出射した画像光Ｚはスクリーン２１５において反射され、スクリーン２１５の前方（光入射側）にいるユーザーの眼に入射する。したがって、スクリーン２１５には上述した第１実施形態および第２実施形態の反射型スクリーンが用いられる。
【００３８】
ここで、投射型プロジェクター２００からスクリーン２１５に向けて投射される画像光Ｚは偏光方向が予め調整された光であり、スクリーン２１５において反射される光となっている。具体的には、スクリーン２１５として第１実施形態のスクリーン１を用いた場合には、偏光層４のナノロッド５の短軸方向に沿う直線偏光Ｙとなるように調整され、スクリーン２１５として第２実施形態のスクリーン２０を用いた場合には、偏光層１４のナノロッド１５の長軸方向に沿う直線偏光Ｘとなるように偏光される。
【００３９】
光源２０１は、メタルハライドなどのランプ２０１ａと、ランプ２０１ａの光を反射するリフレクタ２０１ｂとを備えている。
ダイクロイックミラー２０２は、光源２０１からの白色光に含まれる赤色光を透過させると共に、緑色光と青色光とを反射する構成となっている。また、ダイクロイックミラー２０３は、ダイクロイックミラー２０２で反射された緑色光及び青色光のうち青色光を透過させると共に緑色光を反射する構成となっている。
【００４０】
赤色光用光変調手段２０４は、ダイクロイックミラー２０２を透過した赤色光が入射され、入射した赤色光を所定の画像信号に基づいて変調する構成となっている。また、緑色光用光変調手段２０５は、ダイクロイックミラー２０３で反射された緑色光が入射され、入射した緑色光を所定の画像信号に基づいて変調する構成となっている。そして、青色光用光変調手段２０６は、ダイクロイックミラー２０３を透過した青色光が入射され、入射した青色光を所定の画像信号に基づいて変調する構成となっている。
【００４１】
導光手段２０７は、入射レンズ２０７ａとリレーレンズ２０７ｂと出射レンズ２０７ｃとによって構成されており、青色光の光路が長いことによる光損失を防止するために設けられている。
反射ミラー２１０は、ダイクロイックミラー２０２を透過した赤色光を赤色光用光変調手段２０４に向けて反射する構成となっている。また、反射ミラー２１１は、ダイクロイックミラー２０３及び入射レンズ２０７ａを透過した青色光をリレーレンズ２０７ｂに向けて反射する構成となっている。また、反射ミラー２１２は、リレーレンズ２０７ｂを出射した青色光を出射レンズ２０７ｃに向けて反射する構成となっている。
【００４２】
クロスダイクロイックプリズム２１３は、４つの直角プリズムが貼り合わされて形成されたもので、その界面には赤色光を反射する誘電体多層膜と青色光を反射する誘電体多層膜とがＸ字状に形成されている。これら誘電体多層膜により３つの色の光が合成されて、カラー画像を表す光が形成される。
投射レンズ２１４は、クロスダイクロイックプリズム２１３によって合成されたカラー画像を拡大してスクリーン２１５上に投影する構成となっている。
【００４３】
このような構成の投射型プロジェクター２００にあっては、スクリーン２１５として上記各実施形態のいずれかの反射型スクリーンを具備している。スクリーン２１５が偏光層４（上記第１実施形態）を備えている場合は、偏光層４によって外光のうち第２偏光光（直線偏光Ｘ）が吸収され（図３）、スクリーン２１５が偏光層１４（上記第２実施形態）を備えている場合は、光吸収層８によって外光のうち第２偏光光（直線偏光Ｙ）が吸収される（図５）。このため、画像光成分に外光成分がノイズとして混入することを低減することができる。
【００４４】
投射型プロジェクター２００からスクリーン２１５上に投射される画像光Ｚはスクリーン２１５によって反射されるように偏光方向が予め調整された光であるため、投射型プロジェクター２００からスクリーン２１５に向けて投射された画像光成分は全てユーザー側へと反射される。ユーザーの眼に入射する光のうち、投射型プロジェクターからの画像光Ｚの光量に比べて外光量が少ないほど画像のコントラストを高めることができ、良好な画像を視認することが可能となる。
外光は、室内の蛍光灯や室外の太陽光等の環境光であり、特定の偏光状態を有していない。スクリーン２１５として用いる上記各実施形態のスクリーン１（２０）は、上記構成の偏光層４（１４）により外光の約半分程度を吸収することが可能なため、従来の反射型スクリーンよりも、視認性の良好な画像を映し出すことができる。これにより、投射型プロジェクターから投影された画像のコントラストは上記した各実施形態のスクリーン１（２０）により改善される。したがって、投射型プロジェクター自体も高品位なものとなる。
【００４５】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００４６】
例えば、上記実施例では短軸方向に偏光している偏光光を透過し、長軸方向に偏光している偏光光を反射または吸収するナノロッドを用いたが、長軸方向に偏光している偏光光を透過し、短軸方向に偏光している偏光光を反射または吸収するナノロッドを用いてもよい。
【００４７】
また、上記実施形態では、ナノロッドの材料として、金や銀を用いたが、これに限定されない。ナノロッドの材料としては、金と銀の複合体を用いてもよいし、半導体材料を用いてもよい。
【００４８】
また、光吸収層８の機能をフレキシブル基板２に持たせて光吸収層８を省略してもよい。この場合、例えば、黒色の光吸収部材を含んだ形成材料を用いてフレキシブル基板２を形成することにより、光吸収性を有した基板としてもよい。
また、光吸収層８をフレキシブル基板２の偏光層４とは反対側に設けてもよいし、反射膜３をフレキシブル基板２の偏光層４とは反対側に設けてもよい
【符号の説明】
【００４９】
１，２０，２１５…スクリーン、２…フレキシブル基板（基板）、３…反射膜（反射部材）、３Ａ…光反射面、４…偏光層、５，１５…ナノロッド（針状粒子）、６…透明層、８…光吸収層（光吸収部材）、Ｙ…直線偏光（第１偏光光，第２偏光光）、Ｘ…直線偏光（第１偏光光，第２偏光光）
【図１】
2013015615.tif 000003
【図２】
2013015615.tif 000004
【図３】
2013015615.tif 000005
【図４】
2013015615.tif 000006
【図５】
2013015615.tif 000007
【図６】
2013015615.tif 000008
【図７】
2013015615.tif 000009